(57)【要約】【課題】脱着、装着している際にも、不快感と苦痛をともなわず、又、長時間、夏期に装着しても、頭部が蒸れることがない頭髪装身具用ベースを提供する。【解決手段】  頭髪装身具用ベース１を、内部に空間Ｓを画成して上方に突出させた、網目形成シート４から成る膨出部２と、前記膨出部２の下端部の周囲に接続させた、網目形成シート６から成る周端部３と、から構成する。膨出部２の下端部の周囲は、伸縮可能な帯状部材５を縫合して成り、周端部３は、適宜位置に係止ピン７を挿通できるようになっている。【選択図】          図１
2015014074.tif 000002
【特許請求の範囲】
【請求項１】
内部に空間を画成して上方に突出させた、網目形成シートから成る膨出部と、前記膨出部の下端部の周囲に接続させた、網目形成シートから成る周端部と、から構成したことを特徴とする頭髪装身具用ベース。
【請求項２】
前記膨出部の下端部の周囲は、伸縮可能な帯状部材を縫合して成ることを特徴とする請求項１に記載の頭髪装身具用ベース。
【請求項３】
前記周端部は、適宜位置に係止ピンを挿通できるようになっていることを特徴とする請求項１又は２に記載の頭髪装身具用ベース。
【請求項４】
前記膨出部は、前頭部を緩傾斜面とし、後端部を急傾斜面としたことを特徴とする請求項１乃至３の何れかに記載の頭髪装身具用ベース。
【請求項５】
前記周端部は、網目形成シートを適宜長さ及び幅に裁断して成る複数の係止片から構成したことを特徴とする請求項１乃至４の何れかに記載の頭髪装身具用ベース。
【発明の詳細な説明】
【技術分野】
【０００１】
本発明は、全頭かつら、部分かつら、つけ毛、髪飾り等の頭髪装身具において毛髪を保持するための頭髪装身具用ベースに関する。
【背景技術】
【０００２】
加齢、ストレス、疾病等によって脱毛した頭髪の全部又は一部を補うために、又、ファッション、演劇等において自由に髪型を変えるために、全頭かつら（ウィッグ）、部分かつら（ヘアピース）、つけ毛（エクステ、ポステ）、髪飾り（ヘアアクセサリ）等の頭髪装身具が使用されている。
これら頭髪装身具は、通常、化学繊維材を縦横に織成して網目を形成したネットベースに人毛又は人工毛髪を植設してあり、このネットベースの裏面に固定した係止部材、又は別途用意した係止部材によって頭髪に装着するようになっている。
【０００３】
ここで、係止部材として、通常のヤナギピン、ボビーピン等のヘアピンを使用した場合には、頭髪装身具を頭髪に確実、強固に装着し難く、強風が吹いた時、運動している時等に、頭髪装身具がずれたり、外れたりする虞があった。
そこで、従来、頭髪装身具を頭髪に確実、強固に装着するため、種々形態の係止部材が提案され、開発されている。
【０００４】
例えば、全頭かつら、部分かつら、つけ毛を装着する係止部材としては、特許文献１に示すように、櫛型係止部材を使用して、その基体と突片とで毛髪を挟んで、装着するようにしたもの、特許文献２に示すように、櫛型係止部材を使用して、対向する突片間で毛髪を挟んで、装着するようにしたものが提案されている。
【０００５】
又、髪飾りを装着する係止部材としては、特許文献３に示すように、櫛状部材及びヘアピンを併用して、櫛状部材を頭髪に挿すと共にヘアピンで毛髪を挟んで、装着するようにしたものが提案されている。
【先行技術文献】
【特許文献】
【０００６】
【特許文献１】特開２００７−０３１９１６号公報
【特許文献２】特許第４６１２７４３号公報
【特許文献３】特開２００７−２４４７２９号公報
【発明の概要】
【発明が解決しようとする課題】
【０００７】
しかし、特許文献１及び２に示す係止部材は、何れも櫛型係止部材であって、鉄鋼製の櫛状突片を頭髪に挿し、板バネの有する弾性力を利用して、その基体と突片とで毛髪を挟み、又、対向する櫛状突片間で毛髪を挟むことによって、頭髪装身具を装着するため、以下のような問題点が存在していた。
【０００８】
第一に、櫛型係止部材は、基体の両端部をハトメで接合してあるが、このハトメの鍔部と基体との間には７５〜３５μｍの微小間隙が存在する。一方、毛髪の直径は、成人男性で８０μｍ、女性で７０μｍ程度であるから、頭髪の全体量が少なくなり、一本の毛髪が細くなった者が頭髪装身具を使用すると、この微小間隙に毛髪が挟まれて、頭髪装身具を脱着する際、その挟まれた毛髪が抜け、苦痛をともなう場合があった。
【０００９】
第二に、基体と突片との間に挟まれる毛髪の量が少ないと、一本の毛髪にかかる負荷が大きく、頭髪装身具を装着している際、特に、強風が吹いたり、運動している際には、毛髪が引張られて、不快感と苦痛をともなうと共に、頭髪装身具を長時間装着すると、脱毛の原因にもなった。
【００１０】
上記のような事情もあって、特に女性用かつらの製造、販売会社は、頭髪の全体量が少なくなり、毛髪が細くなった者に対して、全頭かつらを使用することを推奨している。
しかし、全頭かつらは、頭髪全体を被覆し、装着するものなので、長時間装着したり、夏期に装着すると、頭部が著しく発汗するため、蒸れて装着しているのが苦痛になる。
【００１１】
又、特許文献３に示す係止部材は、櫛状部材及びヘアピンを併用するものであり、複数種類の係止部材によって装着するため、頭髪装身具を装着するのが面倒であると共に、時間もかかった。
【００１２】
本発明は、かかる問題点に鑑みて為されたものであって、その目的とするところは、頭髪の全体量が少なくなり、一本の毛髪が細くなった者が使用しても、頭髪装身具を脱着する際、毛髪が抜けて苦痛をともなうことなく、又、頭髪装身具を装着している際、不快感と苦痛をともなうことなく、長時間装着しても脱毛の原因とはならず、さらに、長時間装着し、夏期に装着しても、頭部が蒸れて苦痛になることがない頭髪装身具用ベースを提供することにある。
【００１３】
本発明は、又、単一種類の係止部材によって頭髪装身具を装着することができ、装着するのが面倒でないと共に、時間もかからない頭髪装身具用ベースを提供することをも目的とする。
【課題を解決するための手段】
【００１４】
上記目的を達成するために、本発明の頭髪装身具用ベースは、内部に空間を画成して上方に突出させた、網目形成シートから成る膨出部と、前記膨出部の下端部の周囲に接続させた、網目形成シートから成る周端部と、から構成したことを特徴とする。
【００１５】
ここで、前記膨出部の下端部の周囲は、伸縮可能な帯状部材を縫合して成ることを特徴とする。
【００１６】
さらに、前記周端部は、適宜位置に係止ピンを挿通できるようになっていることを特徴とする。
【００１７】
前記膨出部は、前頭部を緩傾斜面とし、後端部を急傾斜面としてもよい。
【００１８】
又、前記周端部は、網目形成シートを適宜長さ及び幅に裁断して成る複数の係止片から構成してもよい。
【発明の効果】
【００１９】
本発明の頭髪装身具用ベースによれば、頭髪装身具を脱着する際に、毛髪が抜けて苦痛をともなうことなく、又、頭髪装身具を装着している際に、不快感と苦痛をともなうこともなく、長時間装着し、夏期に装着しても、頭部が蒸れて苦痛になることもない。
【図面の簡単な説明】
【００２０】
【図１】本発明の頭髪装身具用ベースの一実施例の斜視図である。
【図２】図１に示す頭髪装身具用ベースの平面図である。
【図３】図１に示す頭髪装身具用ベースの正面図である。
【図４】図１に示す頭髪装身具用ベースの使用状態を示す正面図である。
【図５】図１に示す頭髪装身具用ベースにおいて、膨出部の下端部を形成する方法を示す説明図である。
【図６】図１に示す頭髪装身具用ベースに係止ピンを取着した状態を示す平面図である。
【図７】係止ピンの具体例を示す説明図である。
【図８】図１に示す頭髪装身具用ベースを頭髪に装着した状態を示す説明図である。
【図９】本発明の頭髪装身具用ベースの他実施例の斜視図である。
【図１０】図９に示す頭髪装身具用ベースの平面図である。
【図１１】図９に示す頭髪装身具用ベースの正面図である。
【図１２】本発明の頭髪装身具用ベースの他実施例の正面図である。
【発明を実施するための形態】
【００２１】
以下、本発明の頭髪装身具用ベースの好適な実施形態について、図面を参照して詳細に説明する。
【００２２】
本発明の頭髪装身具用ベース１は、図１乃至４に示すように、内部に空間Ｓを画成して上方に突出させた、網目形成シートから成る膨出部２と、この膨出部２の下端部の周囲に接続させた、網目形成シートから成る周端部３と、から構成してある。
【００２３】
膨出部２は、図５（Ａ）に示すように、円形状に裁断した網目形成シート４の周辺部に伸縮可能な帯状部材５を当接し、次いで、その帯状部材５の外側半部を網目形成シート４の下面側に折曲し、そして、図５（Ｂ）に示すように、網目形成シート４と帯状部材５の接合部を周方向に亘って縫合することによって、形成してある。
【００２４】
ここで、帯状部材５の縮長によって網目形成シート４の周辺部は縮長されるから、図１乃至４に示すように、網目形成シート４の中央部は上方に突出して、内部に空間Ｓを画成した膨出部２が形成される。
膨出部２の高さＨは、網目形成シート４の外径寸法、及び、帯状部材５の伸縮程度による網目形成シート４に付与される張力状態によって変化するが、５〜３５ｍｍ、特には、１０〜２５ｍｍとするのが好ましい。
【００２５】
網目形成シート４は、ナイロン等の化学繊維材を縦横に織成して、多数の網目４ａを形成したものである。
網目形成シート４の厚さＴ４は、０．０５〜１．０ｍｍ、特には、０．１〜０．５ｍｍであるのが好ましい。
網目４ａの内径Ｃ４は、０．５〜６．０ｍｍ、特には、１．０〜２．０ｍｍであるのが好ましい。又、網目４ａの形状は、円形状、矩形状等、特に形状は問わないが、強度等を考慮すれば、正六角形状のいわゆるハニカムメッシュとするのが好ましい。
【００２６】
帯状部材５としては、伸縮性を有する薄肉のポリエステル、ポリウレタン等の合成樹脂テープを使用するのが好ましい。又、ある程度伸縮性を有するので、縁取りや当て布として適用するバイアステープを使用してもよい。
帯状部材５の厚さＴ５は、０．０５〜１．０ｍｍ、特には、０．１〜０．５ｍｍ、その幅Ｗは、５〜３０ｍｍ、特には、１０〜２０ｍｍであるのが好ましい。
その長さＬ５については、膨出部２の外径Ｃ及び高さＨを考慮して、適宜長さを選択すればよい。
【００２７】
尚、網目形成シート４の形状は、円形状のみならず楕円形状であってもよい。楕円形状の網目形成シート４を使用した場合には、膨出部２の平面形状は略楕円形状となる。
又、網目形成シート４は、化学繊維材を縦横に織成して、多数の網目４ａを形成したものに限らず、薄肉の合成樹脂シートに穿孔して、多数の網目を形成したシートを使用してもよい。
【００２８】
周端部３は、図１乃至４に示すように、外周部を略菱形状に裁断し、中央部に略円形状の取付孔を形成し、この取付孔の周縁から中心に向かう三角形状の舌片を周方向に所定間隔で複数形成した網目形成シート６を材料として使用する。
先ず、この取付孔の周縁に膨出部２の下端を位置させ、次いで、前記複数の舌片を膨出部２の下端から内側に挿入させ、そして、膨出部２の下端部に縫合することによって、膨出部２と接続した周端部３を形成してある。
【００２９】
ここで、周端部３は、使用者の前頭部及び後頭部に対応する前頭対応部３Ｆ、後頭対応部３Ｒよりも、側頭部に対応する側頭対応部３Ｓの方を幅広としてある。
又、周端部３は、薄肉の網目形成シート６から構成してあるから、使用時には、図４に示すように、外側に向かって垂れ下がった状態になる。
【００３０】
網目形成シート６は、ナイロン等の化学繊維材を縦横に織成して、多数の網目６ａを形成したものであるが、いわゆる六角形状又は菱形状の網目を形成したチュール材料を使用するのが好ましい。
網目形成シート６の厚さＴ６は、０．０５〜１．０ｍｍ、特には、０．１〜０．５ｍｍであるのが好ましい。
網目６ａの内径Ｃ６は、係止ピンであるヘアピンを挿通できるように、０．５〜６．０ｍｍ、特には、１．０〜２．０ｍｍであるのが好ましい。又、網目６ａの形状は、円形状、矩形状等、特に形状は問わないが、強度等を考慮すれば、正六角形状のいわゆるハニカムメッシュとするのが好ましい。
【００３１】
周端部３は、以上のような構成であるから、図６に示すように、周端部３の前頭対応部３Ｆの両側部及び後頭対応部３Ｒの中央部において、又、両側の側頭対応部３Ｓの幅方向において複数本、図７（Ａ）に示すヤナギピン７Ａ、図７（Ｂ）に示すボビーピン７Ｂ等の通常に使用するヘアピンを網目６ａに挿通して、係止ピン７として使用できるようになっている。
【００３２】
尚、網目形成シート６の形状は、略菱形状に限られるものではなく、所要の機能を奏する限り、円形状、正方形状、長方形状等、適宜形状であってもよい。
又、網目形成シート６も、化学繊維材を縦横に編成して、多数の網目６ａを形成したものに限らず、薄肉の合成樹脂シートに穿孔して、多数の網目を形成したシートを使用してもよい。
【００３３】
本発明の頭髪装身具用ベース１は、以上のような構成であって、膨出部２に人毛又は人工毛髪を植設することによって、全頭かつら、部分かつら、つけ毛等の頭髪装身具を構成するが、適宜、周端部３に人毛等を植設してもよい。
髪飾りに適用する場合には、膨出部２に、又は周端部３の適宜位置に、装飾品等を装着することによって、髪飾りを構成する。
【００３４】
本発明の頭髪装身具用ベース１は、以上のような構成であるから、例えば、図６に示すように、使用者２１の頭頂部の上方から頭髪２２に頭髪装身具用ベース１を被覆し、係止ピン７を周端部３の適宜位置に挿通すると共に、頭髪２２に挿して挟めば、頭髪装身具用ベース１を頭髪２２に容易に装着でき、頭髪装身具を装着することができる。
【００３５】
ここで、頭髪装身具用ベース１は、通常の係止ピン７によって、頭髪に装着するものだから、頭髪の全体量が少なくなり、一本の毛髪が細くなった者が使用しても、毛髪が係止ピン７に挟まれて、頭髪用装身具を脱着する際、その挟まれた毛髪が抜けて、苦痛をともなうことはない。
【００３６】
又、通常の係止ピン７によって頭髪に装着するものだから、一本の毛髪にかかる負荷も大きくなく、又、複数個所に係止ピン７を挿して装着するものだから、頭髪装身具を装着していて、強風が吹いたり、運動している際にも、不快感と苦痛をともなうことはなく、長時間装着しても脱毛の原因とはならない。
【００３７】
又、膨出部２の内部には空間Ｓを画成してあるから、極めて通気性に優れており、頭髪装身具を長時間装着したり、夏期に装着しても、頭部が著しく発汗することはなく、蒸れて装着しているのが苦痛であると感じることもない。
【００３８】
又、膨出部２の内部には空間Ｓを画成してあるから、膨出部２が頭髪と直接触れる程度は少なく、よって、擦れることが少ないので、頭髪を痛めることも少ない。
【００３９】
さらに、膨出部２は空間Ｓを画成して上方に突出させてあるから、頭髪装身具用ベース１に植設する毛髪の量を少なくしても、十分に頭髪の量が増大したように見られて、頭髪装身具に使用する毛髪の量が少なくて済み、安価に製造することができる。
【００４０】
又、係止部材として、通常のヤナギピン、ボビーピン等のヘアピンを使用するものであって、特別な櫛型係止部材等を使用する必要がないから、この点でも、安価に製造することができる。
【００４１】
尚、本発明の頭髪装身具用ベース１を、全頭かつら、部分かつら、つけ毛等の頭髪装身具を構成するために使用するのではなく、既存の頭髪装身具を頭髪に装着する際に、その内側下面に設置して、底上部材として使用することもできる。
【００４２】
本発明の頭髪装身具用ベース３１は、又、図９乃至１１に示すように、前頭部３２Ｆを緩傾斜面とし、後頭部３２Ｒを急傾斜面とした膨出部３２と、複数の係止片３３Ｆ，３３Ｆ，３３Ｓ，３３Ｓ，３３Ｒから成る周端部３と、から構成してもよい。
【００４３】
膨出部３２は、頭髪装身具用ベース１の膨出部２と同様に、網目形成シート４の周辺部に帯状部材５を当接し、周方向に亘って縫合して形成したものであるが、網目形成シート４を適宜形状に裁断することによって、図１１に示すように、前頭部３２Ｆを緩傾斜面とし、後頭部３２Ｒを急傾斜面としたものである。
ここで、前頭部３２Ｆにおいて、帯状部材５に接合する位置の網目形成シート４の傾斜角度を２０〜４０°とし、後頭部３２Ｒにおいて、帯状部材５に接合する位置の網目形成シート４の傾斜角度を４５〜６５°とするのが好ましい。
【００４４】
よって、上記膨出部３２では、前頭部３２Ｆの高さＨＦは比較的低くなり、後頭部３２Ｒの高さＨＲは比較的高くなる。
このような形状にすれば、頭髪装身具用ベース３１を装着した時に、前頭部の毛髪が不自然に多量に見えることを防止でき、極めて自然な頭髪状態に見せることができる。
【００４５】
周端部３３は、頭髪装身具用ベース１の周端部３２と同様に、網目形成シート６を材料としたものであるが、網目形成シート６を適宜長さ及び幅に裁断して、図１０に示すように、複数の係止片３３Ｆ，３３Ｆ，３３Ｓ，３３Ｓ，３３Ｒとしたものである。
【００４６】
この実施形態では、前頭部の両側に２片の係止片３３Ｆ，３３Ｆを、側頭部の両側に２片の係止片３３Ｓ，３３Ｓを、後頭部に１片の係止片３３Ｒを配設してある。
このように周端部３３を複数の係止片３３から構成すれば、頭髪装身具用ベース３１をより軽量にできると共に、頭髪装身具用ベース３１をより容易に着脱でき、頭髪装身具を迅速に着脱することができる。
【００４７】
さらに、係止片３３を前頭部の両側に２片、側頭部の両側に２片、後頭部に１片配設すれば、頭髪装身具用ベース３１を装着した時に負荷が大きくかかる前頭部及び側頭部も十分に係止でき、強風が吹いたり、運動している際にも、頭髪装身具が容易にずれたり、外れたりすることはない。
【００４８】
尚、上記実施形態では、５片の係止片３３Ｆ，３３Ｆ，３３Ｓ，３３Ｓ，３３Ｒを配設したが、膨出部３２の外径が比較的小さい、外出時又は運動時には使用しない等、前頭部及び側頭部にそれほど負荷がかからない場合には、前頭部の係止片を１片としたり、側頭部の係止片を省略してもよい。場合によっては、後頭部の係止片を省略してもよい。
【００４９】
又、つけ毛、髪飾りの場合には、膨出部の外径が比較的に小さいことと、毛髪が不自然に多量に見えても構わないので、図１２に示すように、膨出部４２の前頭部４２Ｆを緩傾斜面とし、後頭部４２Ｒを急傾斜面せず、略同一傾斜面とする頭髪装身具用ベース４１を構成してもよい。
【００５０】
頭髪装身具用ベース３１，４１の場合には、複数の係止片３３Ｆ，３３Ｆ，３３Ｓ，３３Ｓ，３３Ｒに毛髪を絡ませ、係止ピン７を挿して、頭髪に装着することができる。
又、係止ピン７を使用することなく、係止片３３Ｆ，３３Ｆ，３３Ｓ，３３Ｓ，３３Ｒの裏面に両面粘着テープを貼着して、頭髪又は頭部に装着してもよい。
【００５１】
膨出部２，３２，４２は、適宜形状に裁断した網目形成シート４の周辺部に伸縮可能な帯状部材５を当接し、網目形成シート４と帯状部材５の接合部を周方向に亘って縫合することによって形成されるが、安定した内部空間Ｓを有するドーム形状を形成するため、網目形成シート４及び帯状部材５の伸縮性及び剛軟性を適切なものとする必要がある。
【００５２】
［試験例１］
網目形成シート４として、網目４ａの形状、内径の異なる下記の材料を選択し、試験片を作製した。
材料１  形状：ハニカム  内径：５．０ｍｍ
材料２  形状：ハニカム  内径：３．０ｍｍ
材料３  形状：ハニカム、内径：１．０ｍｍ
材料４  形状：菱形      内径：３．０ｍｍ
上記材料から作製した試験片について、下記の試験法に準拠して、伸び率（％）及び剛軟度（ｍｍ）を測定した。
伸び率（％）   JIS L 1096 2010 8.16 Ａ法（定速伸長法）
剛軟度（ｍｍ） JIS L 1096 2010 8.21 Ａ法（４５°カンチレバー法）
【００５３】
測定結果は、下記の通りであった。
材料１
伸び率  １６．６（縦方向）  １３．８（横方向）    ６．０（４５°方向）
剛軟度  測定不能
材料２
伸び率  １１．３（縦方向）  ３４．７（横方向）  １５．３（４５°方向）
剛軟度  ９２    （縦方向）  ６７    （横方向）  ７４    （４５°方向）
材料３
伸び率  ２３．９（縦方向）  ２８．２（横方向）  ２１．８（４５°方向）
剛軟度  １０２  （縦方向）  ８８    （横方向）  ９５    （４５°方向）
材料４
伸び率  １２．３（縦方向）  ３８．４（横方向）    １．６（４５°方向）
剛軟度  測定不能
【００５４】
上記材料を使用して膨出部２を形成したところ、材料１，４では膨出部２がうまく形成できなかった。材料２，３では膨出部２が形成できたが、材料３では膨出部２の形状保持に若干問題があった。
以上のことから、網目形成シート４の材料、肉厚等も別途考慮が必要ではあるが、網目４ａの形状としてはハニカム形状で、内径が１〜４ｍｍ、伸び率が１０〜３０％、剛軟度
が６０〜１００mm程度のものが良好であることがわかった。
【００５５】
［試験例２］
帯状部材５として、下記の材料を選択し、試験片を作製した。
材料５  綿１００％バイアステープ
材料６  ポリウレタン含有ポリエステルテープ
材料７  小孔形成ポリエステルテープ
材料８  絹１００％テープ
上記材料から作製した試験片について、上記の試験法に準拠して、伸び率（％）及び剛軟度（ｍｍ）を測定した。
【００５６】
測定結果は、下記の通りであった。
材料５
伸び率    １３．５（縦方向）
剛軟度    ５４    （縦方向）
材料６
伸び率  １０１．３（縦方向）
剛軟度    ２６    （縦方向）
材料７
伸び率    ７８．０（縦方向）
剛軟度    １６    （縦方向）
材料８
伸び率    １４．０（縦方向）
剛軟度    ３４
【００５７】
上記材料を使用して膨出部２を形成したところ、材料８では膨出部２がうまく形成できなかったが、材料５，６，７では膨出部２が形成できた。
以上のことから、帯状部材５の肉厚等も別途考慮が必要ではあるが、材料としては伸び率が１５〜１００％程度のものが良好であることがわかった。
【００５８】
さらに、上記材料を使用して膨出部２を形成した過程において、伸び率については、帯状部材５は網目形成シート４と同等以上であり、剛軟度については、帯状部材５は網目形成シート４よりも小さいことが好ましいことがわかった。
【符号の説明】
【００５９】
１，３１，４１  頭髪装身具用ベース
２，３２，４２  膨出部
３２Ｆ  前頭部
３３Ｒ  後頭部
３，３３，４３  周端部
３３Ｆ，３３Ｓ，３３Ｒ  係止片
４  網目状シート
５  帯状部材
６  網目状シート
７  係止ピン
２１  使用者
２２  頭髪
Ｓ  空間
【図１】
2015014074.tif 000003
【図２】
2015014074.tif 000004
【図３】
2015014074.tif 000005
【図４】
2015014074.tif 000006
【図５】
2015014074.tif 000007
【図６】
2015014074.tif 000008
【図７】
2015014074.tif 000009
【図８】
2015014074.tif 000010
【図９】
2015014074.tif 000011
【図１０】
2015014074.tif 000012
【図１１】
2015014074.tif 000013
【図１２】
2015014074.tif 000014
【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
網目を正六角形状のハニカムメッシュとした網目形成シートの周辺部に伸縮可能な帯状部材を当接し、前記網目形成シートと前記帯状部材の接合部を周方向に亘って縫合することによって形成し、内部に空間を画成して上方に突出させた膨出部と、中央部に取付孔を形成した網目形成シートの前記取付孔の周縁を前記膨出部の下端部に縫合することによって形成し、前記膨出部の下端部の外方周囲に接続させた周端部と、から構成したことを特徴とする頭髪装身具用ベース。
【請求項２】
前記周端部は、適宜位置に係止ピンを挿通できるようになっていることを特徴とする請求項１に記載の頭髪装身具用ベース。
【請求項３】
前記膨出部は、前頭部を緩傾斜面とし、後頭部を急傾斜面としたことを特徴とする請求項１又は２に記載の頭髪装身具用ベース。
【請求項４】
前記膨出部は、前頭部において、帯状部材に接合する位置の網目形成シートの傾斜角度を２０〜４０°、後頭部において、帯状部材に接合する位置の網目形成シートの傾斜角度を４５〜６５°としたことを特徴とする請求項３に記載の頭髪装身具用ベース。
【請求項５】
前記周端部は、網目形成シートを適宜長さ及び幅に裁断して成る複数の係止片から構成したことを特徴とする請求項１乃至４の何れかに記載の頭髪装身具用ベース。
【手続補正２】
【補正対象書類名】明細書
【補正対象項目名】００１４
【補正方法】変更
【補正の内容】
【００１４】
上記目的を達成するために、本発明の頭髪装身具用ベースは、網目を正六角形状のハニカムメッシュとした網目形成シートの周辺部に伸縮可能な帯状部材を当接し、前記網目形成シートと前記帯状部材の接合部を周方向に亘って縫合することによって形成し、内部に空間を画成して上方に突出させた膨出部と、中央部に取付孔を形成した網目形成シートの前記取付孔の周縁を前記膨出部の下端部に縫合することによって形成し、前記膨出部の下端部の外方周囲に接続させた周端部と、から構成したことを特徴とする。
【手続補正３】
【補正対象書類名】明細書
【補正対象項目名】００１５
【補正方法】変更
【補正の内容】
【００１５】
ここで、前記周端部は、適宜位置に係止ピンを挿通できるようになっていることを特徴とする。
【手続補正４】
【補正対象書類名】明細書
【補正対象項目名】００１６
【補正方法】変更
【補正の内容】
【００１６】
前記膨出部は、前頭部を緩傾斜面とし、後頭部を急傾斜面としてもよい。
【手続補正５】
【補正対象書類名】明細書
【補正対象項目名】００１７
【補正方法】変更
【補正の内容】
【００１７】
ここで、前記膨出部は、前頭部において、帯状部材に接合する位置の網目形成シートの傾斜角度を２０〜４０°、後頭部において、帯状部材に接合する位置の網目形成シートの傾斜角度を４５〜６５°としてもよい。
【手続補正６】
【補正対象書類名】明細書
【補正対象項目名】００５９
【補正方法】変更
【補正の内容】
【００５９】
１，３１，４１  頭髪装身具用ベース
２，３２，４２  膨出部
３２Ｆ  前頭部
３３Ｒ  後頭部
３，３３，４３  周端部
３３Ｆ，３３Ｓ，３３Ｒ  係止片
４  網目形成シート
５  帯状部材
６  網目形成シート
７  係止ピン
２１  使用者
２２  頭髪
Ｓ  空間